(57)【要約】 【課題】重量の大きな昇降体であっても上昇位置に確実に停止させておき、遊技の状態に対応して自由落下させることができる遊技機の可動装飾装置を提供する。【解決手段】駆動源と、駆動源の駆動により昇降機構３を介して上下方向に昇降される昇降体３１と、駆動源の駆動により揺振機構６を介して横方向に往復移動される揺振体６１と、を備える遊技機の可動装飾装置であって、昇降体３１を、縦型レール３３上を上下方向にスライドするものとし、昇降機構３を、駆動源により上下方向に回動される駆動レバー３４と、先端が昇降体３１に装着され前記駆動レバー３４によって上下方向に回動される上昇用レバー３５、３６とからなるものとしたうえに、取付ベースには、上昇された昇降体３１の落下を制止するためのストッパー３７を、左右に進退動可能にして配設した。【選択図】図４
2008245941.tif 000002
【特許請求の範囲】
【請求項１】
モータと、モータの駆動により昇降機構を介して上昇される昇降体と、上昇された昇降体の落下を制止するためのストッパーとを備えることを特徴とする遊技機の可動装飾装置。
【請求項２】
昇降機構に係脱機構を設けて、昇降体の上昇時にはモータと昇降体とを接続し、昇降体がストッパーにより落下制止された後にはモータと昇降体とを非接続とした請求項１に記載の遊技機の可動装飾装置。
【請求項３】
昇降機構は、モータにより回動される駆動レバーと、この駆動レバーと後端が係脱可能で先端が昇降体に装着された上昇用レバーとからなり、
昇降体を、後端が駆動レバーにより押し下げられ先端が上方に回動される上昇用レバーによって、上昇されるようにした請求項１又は２に記載の遊技機の可動装飾装置。
【請求項４】
係脱機構を、駆動レバーの先端に設けた突起と、上昇用レバーの後端に設けた前記突起装入用の係合凹部とからなるものとして、突起が係合凹部の底を押圧して駆動レバーと上昇用レバーが係合し、突起が係合凹部の底から離間されて前記係合が解除されるようにした請求項３に記載の遊技機の可動装飾装置。
【請求項５】
ストッパーを、左右に進退動可能なものとして、その両端に上昇された昇降体を係止するための係止片を設けた請求項１〜４の何れかに記載の遊技機の可動装飾装置。
【請求項６】
モータの回転により揺振機構を介して横方向に往復移動される揺振体を設けた請求項１〜５の何れかに記載の遊技機の可動装飾装置。
【請求項７】
揺振機構は、モータにより回転される偏心カムと、偏心カムにより左右に往復回動されて揺振体を揺動させる揺振用部材とからなる請求項６に記載の遊技機の可動装飾装置。
【請求項８】
昇降機構の駆動レバー回動用のモータと、揺振機構の偏心カム回転用のモータとを、一つのモータで併用したことを特徴とする請求項６又は７に記載の遊技機の可動装飾装置。
【発明の詳細な説明】
【技術分野】
【０００１】
本発明は、遊技機の遊技盤面を装飾するために遊技機の可動装飾装置に関するものである。
【背景技術】
【０００２】
パチンコ機やスロットマシンなどの遊技機には、変動図柄表示装置を備えたものがある。これは、複数の図柄表示画面が図柄を変動表示させ、停止した状態で表示された図柄の組み合わせによって遊技状態が大当たりとなり、遊技者に大きな利益を与える機会を提供できるようにしたものである。例えば、特許文献１に開示されたように、遊技の興趣を盛り上げるために従来から種々の演出が考えられてきた。
【０００３】
上記開示に係るものは、センターケースの上部に変動図柄表示装置が配置されていて、ゆっくり上昇された昇降体が急激に落下されて演出を行うようにしたものである。この発明において、昇降体昇降用の駆動源として、ステッピングモータを使用した場合には、発熱等の関係で通常はこのモータに通電を行っていないので、上昇された昇降体は、ステッピングモータのディテントトルク（無励磁保持力）のみによって上昇位置に保持されることとなる。
【０００４】
しかしながら、より演出効果を向上させるために昇降体を発光させる場合には、昇降体にはＬＥＤを備えた基板や光拡散用のレンズ等を設ける必要があって、昇降体の重量が大きくなってしまう。このため、ステッピングモータのディテントトルクのみでは昇降体を上昇位置に保持することが困難となって、昇降体が下方に落下してしまうという問題があることが判った。この対応策として、モータを大型化してディテントトルクを大きくすることが考えられるが、駆動源の大型化はコストの上昇、設置スペースの拡大という問題を招くので、有効な対策ではない。
【特許文献１】特開２００６−１９２１５４号公報
【発明の開示】
【発明が解決しようとする課題】
【０００５】
本発明は、上記した従来の問題点に鑑み、重量の大きな昇降体であっても上昇位置に確実に停止させておき、遊技の状態に対応して自由落下させることができる遊技機の可動装飾装置を提供することを課題とする。
【課題を解決するための手段】
【０００６】
上記の課題を解決するためになされた本発明の遊技機の可動装飾装置は、モータと、モータの回転により昇降機構を介して上昇される昇降体と、上昇された昇降体の落下を制止するためのストッパーとを備えることを特徴とするものである。
【０００７】
上記した発明において昇降機構に、昇降体が上昇中は昇降体と係合し昇降体がストッパーにより落下を制止された後は昇降体との係合が解除される、係脱機構を設けることができる。
【０００８】
また、昇降機構は、モータにより回動される駆動レバーと、この駆動レバーと後端が係脱可能で先端が昇降体に装着された上昇用レバーとからなり、
昇降体を、後端が駆動レバーと係合して押し下げられて先端が上方に回動される上昇用レバーによって、上昇されるようにすることができる。
【０００９】
係脱機構を、駆動レバーの先端に設けた突起と、上昇用レバーの後端に設けた前記突起装入用の凹部とからなるものとして、突起が凹部の底を押圧して駆動レバーと上昇用レバーが係合し、突起が凹部の底から離間されて前記係合が解除されるようにすることができる。
【００１０】
また、ストッパーを、左右に進退動可能なものとして、その両端に上昇された昇降体を係止するための係止片を設けることができる。
【００１１】
本発明の遊技機の可動装飾装置には、モータの回転により揺振機構を介して横方向に往復移動される揺振体を設けることができ、前記揺振機構を、モータにより回転される偏心カムと、偏心カムにより左右に往復回動されて揺振体を揺動させる揺振用部材とからなるものとすることができる。
【００１２】
なお、昇降機構の駆動レバー回動用のモータと、揺振機構の偏心カム回転用のモータとを、一つのモータで併用することができる。
【発明の効果】
【００１３】
請求項１に係る発明は、上昇された昇降体が装飾態様の変化の途中で下方に落下するのを、ストッパーにて制止できる。
請求項２に係る発明は、昇降体がストッパーにより落下を制止された後には、係脱機構により昇降体と昇降機構の係合を解除できるので、ストッパーを外したときに昇降体を突然落下させることができる。
請求項３に係る発明は、上昇用レバーの後端が駆動レバーによって押し下げられたときにその先端が上方に回動されるので、上昇体を上方に上昇させることができる。
請求項４に係る発明は、突起を凹部の底から離間させることにより昇降体落下時の駆動レバーの抵抗がなくなり、昇降体を急速に自由落下させることができる。
請求項５に係る発明は、係止片により昇降体の両端を支持したので、上昇された昇降体の落下を安定して制止することができる。
請求項６に係る発明は、揺振体により遊技機をさらに装飾することができる。
請求項７に係る発明は、偏心カムと揺振用部材とにより揺振体を左右に揺振させることができる。
請求項８に係る発明は、必要な部品の点数を低減することができる。
【発明を実施するための最良の形態】
【００１４】
以下に本発明を詳細に説明する。先ず全体の構成について概説する。
図１は、可動装飾装置２を示す背面斜視図であって、この可動装飾装置２は、図２に示すように、変動図柄表示装置（図示していない）の周囲を覆うセンターケース１の上部に配設されている。
【００１５】
可動装飾装置２は、センターケース１の取付ベース１１に固定された駆動源としてのステッピングモータ（以下、単にモータという）２１、２２と、モータ２１の回転により昇降機構３を介して上下方向に昇降される昇降体３１と、モータ２２の回転により揺振機構６を介して横方向に往復移動される揺振体６１と、を備える。図１では、昇降体３１がセンターケースの上部に上昇され待機位置の状態にあり、図２は同じ状態にある可動装飾装置を備えるセンターケース１を示した正面斜視図である。図３は、昇降体３１が落下した最落下位置の状態にある可動装飾装置を備えるセンターケース１を示した正面斜視図であり、図４はその可動装飾装置の構造を示した背面斜視図である。
なお、本説明において、左右などの方向は、特に記載がない場合を除いて全て可動装飾装置を背面から見た状態で表している。
【００１６】
昇降機構の詳細を図５に示す背面からの要部構造図により説明する。この図において昇降体３１は下方に落下された状態である。
昇降体３１は、横幅のある板状体であって、中程に上方に延設された摺動板３２を有し、この摺動板３２は、取付ベース１１に設けられた一対の縦型レール３３間を上下方向にスライドする。したがって、昇降体３１は、上下方向に移動することができる。昇降体３１は、その内部にＬＥＤを備えた基板や、光を拡散させるためのレンズが設置されていて、昇降体３１は発光可能となっている。
【００１７】
昇降機構３は、モータ２１により上下方向に回動される駆動レバー３４と、先端が昇降体３１に装着され前記駆動レバー３４によって上下方向に回動される第１上昇用レバー３５と、第１上昇用レバー３５に係合して上下方向に回動される第２上昇用レバー３６とからなる。８０はゴム、樹脂などの衝撃緩衝体であり、昇降体３１の落下時に第１上昇用レバー３５下部に設けた第１落下規制片８１と第２上昇用レバー３６下部に設けた第２落下規制片８２とに当接することで昇降体３１の落下を規制し、且つ、落下時の衝撃を緩和している。
なお、第１落下規制片８１と第２落下規制片８２は、昇降体３１の落下を阻止する時に衝撃緩衝体８０と両規制片８１、８２との夫々の当接面が平行であり、衝撃緩衝体８０の両端の対向する位置に第１落下規制片８１と第２落下規制片８２とが同時に当接する形状となっている。よって、衝撃緩衝体８０には等しい力が対角線上に働くことで、たわみが小さくなり、小さな衝撃緩衝体８０であっても昇降体３１の落下の衝撃に十分耐えることができる。
【００１８】
センターケース１の上部には、上昇された昇降体３１の落下を制止するための板状のストッパー３７が、左右に進退動可能にして配設されている。このストッパー３７は突片３８に掛止されたコイルバネ３９により右方に付勢されている。ストッパー３７は下向きの当接部４０を有しており、偏心カム６２の外周に設けた板カム７０がこの当接部４０の右面を押圧することによりストッパー３７によるロック不要時には左方に退却されている。なお、偏心カム６２は支軸６３に軸支されギア６４を備えており、このギア６４は、モータ２２のモータギア６５と噛合して駆動される。また、偏心カム６２は、その外周に沿って凹溝形状の溝カム６６を有している。
【００１９】
〈昇降機構〉
以下に、昇降機構３をさらに詳細に説明する。
モータ２１にはモータギア２３が装着され、モータギア２３の回転はアイドルギア２４に伝達される。
駆動レバー３４は、支軸４１に軸着され、一端に第１上昇用レバー３５の基端部と係合する突起４２（図４参照）を有し、他端には、アイドルギア２４と噛合する部分ギア４３を有する。支軸４１と突起４２間よりも支軸４１と部分ギア４３間のほうが長いため、てこの原理により小さなトルクのモータ２１で突起４２を持ち上げることができる。
【００２０】
第１上昇用レバー３５は、支軸４４に回動可能に軸着され、先端には突起（図では視認できない）を有し、この突起が昇降体３１に設けた長孔４５に嵌め込まれている。他端には第２上昇用レバー３６と係合する部分ギア４７が設けられている。また、基端には上部以外を壁で囲んで形成した係合凹部４６が形成され、この係合凹部４６に駆動レバー３４の突起４２が嵌め込まれている。これら係合凹部４６と突起４２とは、突起４２が係合凹部４６の底壁を押し下げる場合に両者が係合するが、第１上昇用レバー３５が固定されている場合は係合凹部４６の底壁から離れて突起のみが上昇することで両者が係合しない構造となっている。
【００２１】
第２上昇用レバー３６は、支軸４８に回動可能に軸着され、先端には突起（図では視認できない）を有し、この突起が昇降体３１に設けた長孔４９に嵌め込まれている。
他端には、部分ギア５０が設けられていて、部分ギア４７、５０が噛合することにより第１上昇用部材３５と第２上昇用部材３６は一体に回動することができる。
【００２２】
以上のように構成された昇降機構３においては、昇降体３１が最降下位置にある状態でモータ２１が反時計回りに回転されると、モータギア２３、アイドルギア２４を介して駆動レバー３４の部分ギア４３側が上昇され、先端側が下方に回動される。これによって、凹部４６に嵌め込まれた突起４２が第１上昇用部材３５の部分ギア４７側を押し下げるので、第２上昇用部材３６の部分ギア４７側も共に押し下げられ、それらの反対側すなわち先端は上昇される。よって、第１上昇用部材３５と第２上昇用部材３６によって昇降体３１は上方に持ち上げられることになる。この時、摺動板３２は、縦型レール３３間を摺動するので左右に揺れることなく直上に上昇する。
【００２３】
また、フォトセンサーなどのセンサ７７が取付ベース１１に設置されており、第１上昇用レバー３５の最先端部から前方（遊技者から見て後方）に延出された板状の遮光部７８がセンサ７７の間に位置してセンサ７７の光を遮光することで、昇降体３１が待機位置にあることを検出する仕組みとなっている。（後掲する図８参照）。
昇降体３１が上昇するときには、待機位置を通過してさらに最上昇位置（図６）に至ることとなる。よって、モータ２１が反時計回りに回転し昇降体３１を上昇させているときに、一度センサ７７で検出された後に再び非検出になることで、昇降体３１が最上昇位置の状態となっていることを検知する。この状態でモータ２１への通電を停止し非励磁状態とすると、昇降体３１を持ち上げている力はモータ２１のディテントトルクのみとなる。しかし、昇降体３１は基板などの装備により重量なものとなっているので、ディテントトルクのみでは昇降体３１をこの状態のまま保持しておくことができず、落下するといったトラブルが発生する。そこで、センターケース１の取付ベース１１に板状のストッパー３７を左右にスライド可能に配設した。
【００２４】
ここで、ストッパー３７は、左右両端に係止片５１を有し、コイルバネ３９により右方に付勢されている。右側の係止片５１はストッパー３７本体から下方に段差を設け端部が右側に向いたクランク形状となっていて、左側の係止片５１は下方に段差を設け端部を右側に折り曲げたコの字状になっているので、右側に位置するときに両方の係止片５１で同時に係止し、左側に位置するときに係止を解除することができる。昇降体３１が最上昇位置になった後にモータ２２が駆動され、モータギア６５と噛合するギア６４が反時計回りに回転されるので、偏心カム６２も同方向に回転される。偏心カム６２の回転によって板カム７０の最大偏心部６７は当接部４０を押圧する位置から外れるので、コイルバネ３９の付勢によりストッパー３７は右方向に移動することとなって、図７、８に示すように、係止片５１が、第１上昇用レバー３５、第２上昇用レバー３６に設けられた係止部５２の下側に各々入り込む。
【００２５】
そして今度は、昇降体３１を上昇させるときとは逆の、時計回りにモータ２１を回転させることで突起４２が上昇する。この場合、昇降体３１の重さのために、突起４２の動きに追従して係合凹部４６が上昇、つまり昇降体３１が降下することになるが、ストッパー３７が係止部５２の下側に入り込んでいるために、昇降体３１は最上昇位置からわずかに下がった待機位置でロックされて停止することとなる（図９）。このとき、係止部５２は第１上昇用レバー３５、第２上昇用レバー３６の先端にあるため、昇降体３１の両端が支持されて安定したロックを行うことができる。また、センサ７７によって昇降体３１が待機位置にロックされたことを検出している。
【００２６】
モータ２１を回転させても係合凹部４６と突起４２とが係合していないために、これ以降は、昇降体３１が待機位置でロックされた状態のまま、駆動レバー３４のみがさらに回転して、突起４２が設定されている位置まで上昇することとなる。この設定されている位置とは、第１落下規制片８１と第２落下規制片８２とが衝撃緩衝体８０に当たって昇降体３１が最降下位置となったときに、係合凹部４６との間に隙間ができる位置のことである。これが、昇降機構の定常状態となる（図９）。
【００２７】
この状態において、モータ２２への通電を遮断すると、昇降体３１を支承しているストッパー３７には昇降体３１から下向きの力を受けることとなる。しかし、ストッパー３７はロック位置では物理的に左右方向にしか動くことができない構造となっており、且つ、最も右に移動したときの位置がストッパー止め７９によって規制されてロック状態では当接部４０と偏心カム６２とは接触していない。よって、偏心カム６２には昇降体３１からの力がまったく加わることがないので、モータ２２のディテントトルクに関係なく、ストッパー３７は昇降体３１を落下させずに支承することができる。
【００２８】
次に、モータ２２を駆動させて、再び最大偏心部６７が当接部４０を押圧する位置まで偏心カム６２を時計回りに回転させると、コイルバネ３９の付勢に抗してストッパー３７は左方向に移動することとなり、係止片５１による昇降体３１の支承が解除される（図１０）。このとき、突起４２が前記設定されている位置にあるために支えられているものがなく、昇降体３１は重力により自由落下する。その後、第１落下規制片８１と第２落下規制片８２とが衝撃緩衝体８０に当たり停止することで、昇降体３１は最降下位置となる。このとき、突起４２と係合凹部４６との間に隙間があるため、自由落下の衝撃が加わらず、モータ２１などの他の昇降機構３が破損することを防止している。
なお、本実施例ではストッパー３７は左右にスライドすることとしたが、これに限定されるものではなく、前後にスライドする等の落下とは垂直な方向にスライドしてもよい。
【００２９】
〈揺振機構〉
以下に揺振機構について図１１、１２により説明する。
図９において揺振機構６は、モータ２２の駆動により回転される偏心カム６２の溝カム６６と、溝カム６６により左右に往復揺動される揺振用部材７１と、揺振体６１の裏面方向に水平に突出した係合ロッド７２とを備える（図４参照）。揺振用部材７１は上向きの凹部７３を有し、この凹部７３に係合ロッド７２の先端が差し込まれている。また、揺振用部材７１は支軸７４を中心に揺動し中程に設けられた突起（視認できない）が、溝カム６６に嵌め込まれている。また、揺振体６１は水平ロッド７５に摺動自在に装着されている。
【００３０】
偏心カム６２が回転されると、溝カム６６に嵌め込まれた突起によって揺振用部材７１が左に移動し、やがて最も左に移動した最大振幅位置になる（図１２）。その後、モータ２２を逆回転させて当初の待機位置まで戻すと、揺振用部材７１は右に移動する。これらを繰り返すことにより左右に揺振されるので、これによって係合ロッド７２を介して揺振体６１も左右に揺振されることになる。
【００３１】
なお、偏心カム６２に設けられている板カム７０と溝カム６６との形状の関係で、揺振体６１を揺振させているときには、ストッパー３７をロック解除状態にすることができない構造となっている。つまり、昇降体３１を自由落下させているとき以外は、揺振体６１を揺振させることができる。
【００３２】
図１３には、可動装飾装置を作動させる場合のフローチャートを示す。可動装飾装置は、図示していない制御装置によって以下の様に制御されることとなる。図に示すとおり通常は、昇降体３１及び揺振体６１が夫々待機位置にある定常状態である（図９）。
遊技状態に応じて揺振体６１を揺振させる演出を行う場合は、揺振体６１が待機位置（図１１）と最大振幅位置（図１２）との間を往復するように偏心カム６２を駆動させ、所定回数の往復を行った後に待機位置で停止させて定常状態に戻す。なお、信頼度等の遊技状態に応じて往復する回数を変化させることもできる。
その後、昇降体３１を降下させる演出を行う場合は、ストッパー３７をロック解除位置に移動させることで昇降体３１を最落下位置まで自由落下させる（図５）。このように昇降体３１が最落下位置にある状態でも、揺振体６１を揺振させる演出を行うことができる。
再び昇降体３１を上昇させる場合は、駆動レバー３４を駆動し昇降体３１を最上昇位置まで持ち上げる（図６）。そして、ストッパー３７をロック位置に移動させた（図７、８）後、駆動レバー３４を先程までとは反対の方向へ突起４２が設定されている位置まで駆動させことで、再び定常状態となる。
以上を行うことで、複数の遊技状態に合わせた様々な演出を行うことができる。
【図面の簡単な説明】
【００３３】
【図１】本発明の可動装飾装置の背面斜視図である。
【図２】昇降体が待機位置にあるセンターケースの正面斜視図である。
【図３】昇降体が最落下位置にあるセンターケースの正面斜視図である。
【図４】昇降体が最落下位置にある可動装飾装置の背面斜視図である。
【図５】昇降体が最落下位置にある可動装飾装置の背面図である。
【図６】昇降体が最上昇位置にある昇降機構の要部背面図である。
【図７】ロック開始状態にある昇降機構を示す要部背面図である。
【図８】図７の昇降機構の要部正面図である。
【図９】昇降機構の定常状態を示す要部背面図である。
【図１０】ストッパーによる係止が解除された状態の昇降機構の要部背面図である。
【図１１】揺振体が待機位置にある揺振機構の要部背面図である。
【図１２】揺振体が最大振幅位置の揺振機構の要部背面図である。
【図１３】可動装飾装置の作動の流れを示すフロー図である。
【符号の説明】
【００３４】
３  昇降機構、６  揺振機構、３１  昇降体、３３  縦型レール、３４  駆動レバー、３５  第１上昇用レバー、３６  第２上昇用レバー、３７  ストッパー、６１  揺振体、
【図１】
2008245941.tif 000003
【図２】
2008245941.tif 000004
【図３】
2008245941.tif 000005
【図４】
2008245941.tif 000006
【図５】
2008245941.tif 000007
【図６】
2008245941.tif 000008
【図７】
2008245941.tif 000009
【図８】
2008245941.tif 000010
【図９】
2008245941.tif 000011
【図１０】
2008245941.tif 000012
【図１１】
2008245941.tif 000013
【図１２】
2008245941.tif 000014
【図１３】
2008245941.tif 000015